(57)【要約】【課題】地図等の印刷で要求される細い斜線を良好に再現できるとともに、バーコード画像の印刷時には規格に定められた許容値を容易に満たし得る、印刷装置および印刷方法を提供する。【解決手段】印刷装置は、バーコード画像の印刷指示の存在を認識した場合、印刷に使用される描画ドットの少なくとも一部を、印刷に使用される描画ドットとして用意された第１の描画ドットおよび当該第１の描画ドットより小径の第２の描画ドット３２のうちの、第２の描画ドット３２に設定するように制御する。【選択図】図６
2009066831.tif 000002
【特許請求の範囲】
【請求項１】
印刷に使用される描画ドットを、第１の描画ドットと当該第１の描画ドットより小径の第２の描画ドットとの間で切り換える描画ドット切換手段と、
バーコード画像の印刷指示の存在を認識する認識手段と、
前記認識手段によりバーコード画像の印刷指示の存在が認識された場合、印刷に使用される描画ドットの少なくとも一部を前記第２の描画ドットに設定するように制御する制御手段と、を有する、
ことを特徴とする印刷装置。
【請求項２】
前記認識手段によりバーコード画像の印刷指示の存在が認識された場合、前記制御手段は、バーコード画像を構成する描画ドットの全部を前記第２の描画ドットに設定するように制御する、ことを特徴とする請求項１に記載の印刷装置。
【請求項３】
前記認識手段によりバーコード画像の印刷指示の存在が認識された場合、前記制御手段は、バーコード画像を構成する描画ドットのうち、エッジ部を前記第２の描画ドットに設定し、エッジ部以外を前記第１の描画ドットに設定するように制御する、ことを特徴とする請求項１に記載の印刷装置。
【請求項４】
前記認識手段は、当該印刷装置上に設けられた操作部におけるバーコード画像を含む印刷であることを示すユーザの操作により、バーコード画像の印刷指示の存在を認識する、ことを特徴とする請求項１〜３のいずれか１項に記載の印刷装置。
【請求項５】
前記認識手段は、印刷データにおけるバーコード画像を含む印刷であることを示す記述を検知することにより、バーコード画像の印刷指示の存在を認識する、ことを特徴とする請求項１〜３のいずれか１項に記載の印刷装置。
【請求項６】
前記認識手段は、バーコード画像データを生成するためのバーコード画像データ生成命令の存在により、バーコード画像の印刷指示の存在を認識し、
前記印刷装置は更に、前記バーコード画像データ生成命令にしたがってバーコード画像データを生成するバーコード画像データ生成手段と、バーコード画像データの領域であることを示す属性フラグを当該バーコード画像データの領域に対して付加する属性フラグ付加手段とを有し、
前記制御手段は、印刷すべき画像の中で、前記属性フラグが付加された領域の描画ドットを、バーコード画像を構成する描画ドットであると判断する、ことを特徴とする請求項２または３に記載の印刷装置。
【請求項７】
前記認識手段は、印刷イメージを走査してバーコード画像データを認識することにより、バーコード画像の印刷指示の存在を認識し、
前記印刷装置は更に、バーコード画像データの領域であることを示す属性フラグを当該バーコード画像データの領域に対して付加する属性フラグ付加手段を有し、
前記制御手段は、印刷すべき画像の中で、前記属性フラグが付加された領域の描画ドットを、バーコード画像を構成する描画ドットであると判断する、ことを特徴とする請求項２または３に記載の印刷装置。
【請求項８】
バーコード画像の印刷指示の存在を認識する認識ステップと、
前記認識ステップにおいてバーコード画像の印刷指示の存在が認識された場合、印刷に使用される描画ドットの少なくとも一部を、印刷に使用される描画ドットとして用意された第１の描画ドットおよび当該第１の描画ドットより小径の第２の描画ドットのうちの、前記第２の描画ドットに設定するように制御する制御ステップと、を有する、
ことを特徴とする印刷方法。
【発明の詳細な説明】
【技術分野】
【０００１】
本発明は、印刷装置および印刷方法に関し、特に、バーコード画像の印刷モードを備えた印刷装置および印刷方法に関する。
【背景技術】
【０００２】
レーザビームプリンタ等の印刷装置において、印刷解像度から換算されるドットピッチ（例えば４００ｄｐｉプリンタの場合、２５．４／４００＝０．０６３５ｍｍ）を径とする描画ドットで潜像を形成すると、以下のような問題がある。すなわち、機械設計図面や地図などの印刷で要求される細い斜線を描く場合、静電プロセス要因（潜像周辺から電荷のリーク）および光学的要因（レンズ系／反射系要因による走査端付近での露光量の減少）により印刷結果として得られる描画ドットが小さくなり、実斜線が点線（破線）のように再現されたり、最悪の場合全く再現されなくなってしまったりする虞がある（図４参照）。このような問題を解消するため、ドットピッチの概ね１．４〜２倍の描画ドット径が得られるような潜像形成が行われている。
【０００３】
ところで、数種の幅の白と黒の平行バーからなるバーコードは、流通情報システムの物流管理などに多く使用されている。バーコード規格にはさまざまなものがあり、例えばＰＯＳシステムを中心とした流通情報システム用として、一般に「ＪＡＮコード」と呼ばれるバーコードが  ＪＩＳ  Ｘ  ０５０１に規定されている。
【０００４】
ここで、バーコード規格に規定されているバーの幅の大きさは、プリンタのドットピッチにかならずしも一致するとは限らず、印刷されるバーの幅の大きさは、プリンタのドットピッチの整数倍となるように丸められる。しかも、上述したように細い斜線を良好に再現するために、一般に、ドットピッチよりも大きいドット径で画像が再現されるため、黒バーの幅が大きく、白バーの幅が小さくなる、つまり黒バーが太る傾向となる。このため、規格に定められた許容値を満たさなくなってしまい、印刷されたバーコードが、バーコード読取装置で読み取れなくなってしまうという問題があった。
【０００５】
かかる問題を解決するために、予め設定されたバーコードの細バーに対する太バーの幅の比率および細バーの基本ドット列数から、太バーのドット列数を演算し、これに基づきバーコードの印字ドットパターンデータを作成する技術が提案されている（特許文献１参照）。また、予め、モジュール数と黒バーのドット数および白バーのドット数との関係を示すテーブルをメモリ部に格納しておき、このテーブルを参照しながらバーコード印刷データをバーコードパターンに変換する技術が提案されている（特許文献２参照）。
【０００６】
これらの特許文献に記載の技術はいずれも、予め印刷再現されるバーの大きさの特性がわかっており、バーの幅に関する適切なデータを設定することで、上述した問題点を回避するものである。
【０００７】
しかしながら、バーコードパターンを、印刷装置とは異なる別の装置(例えばホストコンピュータ)上のソフトウェアで生成する場合には、出力する印刷装置毎の特性を知る必要がある。つまり、印刷装置が異なると、異なる設定でバーコードパターンを再度生成しなければならないという問題がある。また、印刷装置内でバーコードパターンを生成する場合でも、製品毎に印刷装置の特性が異なっていれば、印刷装置内のパターン生成ソフトウェアに製品毎の特性を与える必要がある。
【特許文献１】特開平５−３４２３８３号公報
【特許文献２】特開２００４−１７３９９号公報
【発明の開示】
【発明が解決しようとする課題】
【０００８】
本発明は上記従来技術の有する問題点に鑑みてなされたものであり、本発明の目的は、地図等の印刷で要求される細い斜線を良好に再現できるとともに、バーコード画像の印刷時には規格に定められた許容値を容易に満たし得る、印刷装置および印刷方法を提供することにある。
【課題を解決するための手段】
【０００９】
本発明の上記目的は、下記の手段によって達成される。
【００１０】
（１）印刷に使用される描画ドットを、第１の描画ドットと当該第１の描画ドットより小径の第２の描画ドットとの間で切り換える描画ドット切換手段と、バーコード画像の印刷指示の存在を認識する認識手段と、前記認識手段によりバーコード画像の印刷指示の存在が認識された場合、印刷に使用される描画ドットの少なくとも一部を前記第２の描画ドットに設定するように制御する制御手段と、を有する、ことを特徴とする印刷装置。
【００１１】
（２）前記認識手段によりバーコード画像の印刷指示の存在が認識された場合、前記制御手段は、バーコード画像を構成する描画ドットの全部を前記第２の描画ドットに設定するように制御する、ことを特徴とする上記（１）に記載の印刷装置。
【００１２】
（３）前記認識手段によりバーコード画像の印刷指示の存在が認識された場合、前記制御手段は、バーコード画像を構成する描画ドットのうち、エッジ部を前記第２の描画ドットに設定し、エッジ部以外を前記第１の描画ドットに設定するように制御する、ことを特徴とする上記（１）に記載の印刷装置。
【００１３】
（４）前記認識手段は、当該印刷装置上に設けられた操作部におけるバーコード画像を含む印刷であることを示すユーザの操作により、バーコード画像の印刷指示の存在を認識する、ことを特徴とする上記（１）〜（３）のいずれか１項に記載の印刷装置。
【００１４】
（５）前記認識手段は、印刷データにおけるバーコード画像を含む印刷であることを示す記述を検知することにより、バーコード画像の印刷指示の存在を認識する、ことを特徴とする上記（１）〜（３）のいずれか１項に記載の印刷装置。
【００１５】
（６）前記認識手段は、バーコード画像データを生成するためのバーコード画像データ生成命令の存在により、バーコード画像の印刷指示の存在を認識し、前記印刷装置は更に、前記バーコード画像データ生成命令にしたがってバーコード画像データを生成するバーコード画像データ生成手段と、バーコード画像データの領域であることを示す属性フラグを当該バーコード画像データの領域に対して付加する属性フラグ付加手段とを有し、前記制御手段は、印刷すべき画像の中で、前記属性フラグが付加された領域の描画ドットを、バーコード画像を構成する描画ドットであると判断する、ことを特徴とする上記（２）または（３）に記載の印刷装置。
【００１６】
（７）前記認識手段は、印刷イメージを走査してバーコード画像データを認識することにより、バーコード画像の印刷指示の存在を認識し、前記印刷装置は更に、バーコード画像データの領域であることを示す属性フラグを当該バーコード画像データの領域に対して付加する属性フラグ付加手段を有し、前記制御手段は、印刷すべき画像の中で、前記属性フラグが付加された領域の描画ドットを、バーコード画像を構成する描画ドットであると判断する、ことを特徴とする上記（２）または（３）に記載の印刷装置。
【００１７】
（８）バーコード画像の印刷指示の存在を認識する認識ステップと、前記認識ステップにおいてバーコード画像の印刷指示の存在が認識された場合、印刷に使用される描画ドットの少なくとも一部を、印刷に使用される描画ドットとして用意された第１の描画ドットおよび当該第１の描画ドットより小径の第２の描画ドットのうちの、前記第２の描画ドットに設定するように制御する制御ステップと、を有する、ことを特徴とする印刷方法。
【発明の効果】
【００１８】
本発明によれば、機械設計図面、地図等の印刷で要求される細い斜線を良好に再現する設定を維持したまま、バーコード画像の印刷時には、規格に定められた許容値を満たすバーコード画像の印刷を実現することができる。また、バーコード画像データの生成を印刷装置内または印刷装置とは異なる別の装置で行う場合であっても、再現されるバーの幅の大きさの特性をバーコード画像データの生成時には知る必要がない。
【００１９】
すなわち、本発明によれば、地図等の印刷で要求される細い斜線を良好に再現できるとともに、バーコード画像の印刷時には規格に定められた許容値を容易に満たすことが可能となる。
【発明を実施するための最良の形態】
【００２０】
以下、本発明の実施の形態を、図面を参照して詳細に説明する。
【００２１】
図１は、本発明の第１の実施形態にかかる印刷装置を示すブロック図である。
【００２２】
図１に示すように、印刷装置１は、印刷装置１内各部の制御や各種の演算処理を行うＣＰＵ１１、印刷データを受信するデータ受信部１２、受信した印刷データに含まれる制御命令を解析する命令解析部１３、印刷データの解析により得られたイメージデータを記憶するイメージメモリ１４、イメージメモリ１４からイメージデータを順次送出させるメモリアクセス制御部１５、ビデオクロック信号および変調クロック信号を発生させるクロック生成部１６、イメージデータと描画ドット選択信号と変調クロック信号とに基いてビデオ信号を送出するビデオ信号出力部１７、および受信したビデオ信号に基いて印刷を行う印刷部１８を有している。
【００２３】
データ受信部１２は、例えばネットワークを介して外部機器と通信するために使用されるＬＡＮカードであり、イーサネット（登録商標）、トークンリング、ＦＤＤＩ等の規格が用いられる。但し、印刷装置１は、外部機器とローカル接続により接続されてもよい。ローカル接続には、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２.１１、ＨｏｍｅＲＦ、ＩｒＤＡ等の無線通信インタフェース等の各種ローカル接続インタフェースが用いられる。
【００２４】
印刷部１８は、電子写真式プロセス等の周知の作像プロセスを用いて、受信したビデオ信号に基づく画像を用紙等の記録媒体に印刷する。
【００２５】
なお、図１では印刷装置１の構成要素のうち本発明に関係するものが記載されており、印刷装置１は上述した構成要素以外の構成要素を含んでいてもよい。
【００２６】
このように構成された印刷装置１は、バーコード画像の印刷モードを備えており、次のように動作する。
【００２７】
まず、印刷装置１は、印刷装置１の外部、例えばＰＣ（パーソナルコンピュータ）等の上位装置から印刷データを受信する。受信した印刷データは命令解析部１３に送られる。命令解析部１３は、印刷データに含まれる制御命令を解析し、所定の印刷解像度のビットマップに展開された印刷イメージを、イメージメモリ１４に展開する。
【００２８】
命令解析部１３は、印刷データにおいて「バーコード画像を含む印刷」の指定があることを認識した場合、描画ドット選択信号をＯＮとして、ビデオ信号出力部１７に出力する。
【００２９】
図２は、「バーコード画像を含む印刷」の指定の一例を示す図である。
【００３０】
図２では、ＰｏｓｔＳｃｒｉｐｔ（登録商標）の印刷データの例が示されており、ＰｏｓｔＳｃｒｉｐｔコードに先立ち、各種設定が＠ＰＪＬで始まるコマンドで指定される。例えば図中符号「５１」で示す「ＲＥＳＯＬＵＴＩＯＮ」というキーワードの部分で、印刷解像度４００ｄｐｉが指定されている。命令解析部１３は、この指令に従い、印刷装置１の印刷解像度を４００ｄｐｉに設定する。命令解析部１３は、例えば図中符号「５２」で示す「＠ＰＪＬ  ＳＥＴ  ＢＡＲＣＯＤＥＭＯＤＥ  ＝  ＯＮ」の指令が有る場合、「バーコード画像を含む印刷」であると認識する。一方、「＠ＰＪＬ  ＳＥＴ  ＢＡＲＣＯＤＥＭＯＤＥ  ＝  ＯＦＦ」の指令が有る場合、または「＠ＰＪＬ  ＳＥＴ  ＢＡＲＣＯＤＥＭＯＤＥ」で始まる指令が無い場合、命令解析部１３は、「バーコード画像を含む印刷」ではないと認識する。
【００３１】
なお、印刷装置１用のプリンタドライバ上で「バーコードを含む印刷」を指定するスイッチ（ボタン）を設ける（プリンタドライバがインストールされたＰＣのディスプレイに表示させる）ことにより、印刷命令に対して「バーコードを含む印刷」であることを示す制御命令を含ませることができる。
【００３２】
メモリアクセス制御部１５は、ＣＰＵ１１からの指令により、ビデオクロック信号Ｖｃに同期して、イメージメモリ１４からイメージデータＤｐを順次送出するよう制御する。
【００３３】
ビデオ信号出力部１７には、ビデオクロック信号Ｖｃと同期した変調クロック信号Ｖｃｍが入力される。ビデオ信号出力部１７は、命令解析部１３から出力される描画ドット選択信号がＯＮのとき、イメージデータＤｐと変調クロック信号Ｖｃｍとの論理積（ＡＮＤ）を演算することで得られるビデオ信号Ｖｄを印刷部１８に送出する。したがって、１ドットあたりのビデオ信号ＶｄのＯＮ時間は、ビデオクロック信号Ｖｃの周期以下に規制される。一方、ビデオ信号出力部１７は、命令解析部１３から出力される描画ドット選択信号がＯＦＦのとき、つまり描画ドット選択信号の出力が無いとき、イメージデータＤｐと同形態のビデオ信号Ｖｄを印刷部１８に送出する。
【００３４】
図３は、ドットピッチＰの２倍の径を持つ第１の描画ドット３１を示す図である。図示のように、第１の実施形態では、１ドットあたりのビデオ信号ＶｄのＯＮ時間がビデオクロック信号Ｖｃの周期と等しいとき、ドットピッチＰの２倍の径Ｄ１となる第１の描画ドット３１が得られるように感光体帯電電位、現像バイアス電圧、露光光量等の画像形成条件が設定されている。このように構成すれば、例えば細い実斜線が良好に再現され得る。
【００３５】
図４は、ドットピッチＰと同じ径Ｄ０を持つ描画ドット３０を比較例として示す図である。この場合には、細い斜線が点線（破線）のように再現されたり、最悪の場合全く再現されなくなってしまったりする虞がある。
【００３６】
図５は、黒細バー、白細バー、黒細バーと並んだバーコードパターン、および当該バーコードパターンの場合の第１の実施形態における各信号の変化を示す図、図６は、図５に示されるバーコードパターンに基く第１の実施形態の印刷結果を示す図である。
【００３７】
ＪＡＮコードを倍率０．８０（規格上の下限倍率）としたとき、モジュール寸法（最も細いバーの幅）は０．２６４ｍｍと規定されている。例えば４００ｄｐｉプリンタで倍率０．８０のＪＡＮコードを印刷する場合、モジュール寸法は４．１６ドットに換算され、実際の印刷では整数値４に丸められる（図５参照）。
【００３８】
図６に示すように、第１の実施形態では、命令解析部１３から出力される描画ドット選択信号がＯＮのとき、描画ドット径Ｄ２がドットピッチＰの１．５倍となる第２の描画ドット３２が得られるように、１ドットあたりのビデオ信号Ｖｄのパルス幅が７５％に規制される。これは、変調クロック信号Ｖｃｍの１周期のうちのＯＮ時間とＯＦＦ時間の比が７５：２５に設定されているからである。つまり、変調クロック信号Ｖｃｍは、黒バーの幅を通常よりも狭くするために使用される。
【００３９】
したがって、図６に示すように、４ｄｏｔ幅（ｄｏｔｓ）として作成された黒細バーおよび白細バー幅が、それぞれ４．５ｄｏｔ幅、３．５ｄｏｔ幅相当となる。ここで、１ｄｏｔ幅（ｄｏｔｓ）とは、ドットピッチＰと同じ径Ｄ０を持つ描画ドットの１個分の幅（外径）寸法をいう。
【００４０】
図７は、図５に示されるバーコードパターンに基く黒細バー幅ａ、白細バー幅ｄ、およびバーエッジ間寸法ｂ１、ｂ２を示す図、図８は、第１の実施形態における図６に示される黒細バー幅ａ、白細バー幅ｄ、およびバーエッジ間寸法ｂ１、ｂ２の計算結果を示す図である。
【００４１】
図８に示すように、黒細バー幅ａ、白細バー幅ｄ、およびバーエッジ間寸法ｂ１、ｂ２のいずれも、規格に定められた許容値を満たすことがわかる。なお、バーコード画像は、描画ドットがある程度かたまって形成されているので、細い実斜線が点線のように再現される不具合を生じさせない。
【００４２】
上述したように、第１の実施形態では、描画ドット選択信号がＯＮのとき、例えば、１ドットの像を形成する露光時間が短くなり、描画ドット径が小さくなる。これにより、描画ドット選択信号がＯＦＦの場合に比べ、バーコードの黒バーの幅が小さくなり、白バーの幅は大きくなる。印刷装置の描画ドット径に応じて、変調クロック信号Ｖｃｍのデュティー（１周期におけるＯＮ時間の割合）を適切に調整することにより、規格に定められた許容値を満たすバーコード画像を印刷することができる。
【００４３】
図９は、黒細バー、白細バー、黒細バーと並んだバーコードパターン、および当該バーコードパターンの場合の比較例における各信号の変化を示す図、図１０は、図９に示されるバーコードパターンに基く比較例の印刷結果を示す図である。
【００４４】
図９に示すように、この比較例では、１ドットあたりのビデオ信号ＶｄのＯＮ時間は、ビデオクロック信号Ｖｃの周期と同じであり、第１の実施形態のような例えば７５％への規制は採用されていない。この場合、バーコード画像において、描画ドット径Ｄ１がドットピッチＰの２倍となる第１の描画ドット３１が得られる。したがって、図１０に示すように、４ｄｏｔ幅（ｄｏｔｓ）として作成された黒細バーおよび白細バー幅が、それぞれ５ｄｏｔ幅、３ｄｏｔ幅相当となる。
【００４５】
図１１は、比較例における図１０に示される黒細バー幅ａ、白細バー幅ｄ、およびバーエッジ間寸法ｂ１、ｂ２の計算結果を示す図である。図１１に示すように、黒細バー幅ａが規格に定められた許容範囲を超えてしまい、白細バー幅ｄが規格に定められた下限値を下回ってしまうことがわかる。したがって、この比較例の場合には、印刷されたバーコード画像が、バーコード読取装置で読み取れなくなってしまう虞がある。
【００４６】
上述のように第１の実施形態では、印刷装置１は、バーコード画像の印刷指示の存在を認識した場合、印刷に使用される描画ドットの少なくとも一部を、印刷に使用される描画ドットとして用意された第１の描画ドット３１および当該第１の描画ドット３１より小径の第２の描画ドット３２のうちの、第２の描画ドット３２に設定するように制御する。
【００４７】
したがって、機械設計図面、地図等の印刷で要求される細い実斜線を良好に再現する設定を維持したまま、バーコード画像の印刷時には、規格に定められた許容値を満たすバーコード画像の印刷を実現することができる。また、バーコード画像データの生成を印刷装置内または印刷装置とは異なる別の装置で行う場合であっても、再現されるバーの幅の大きさの特性をバーコード画像データの生成時には知る必要がない。
【００４８】
すなわち、第１の実施形態によれば、地図等の印刷で要求される細い斜線を良好に再現できるとともに、バーコード画像の印刷時には規格に定められた許容値を容易に満たすことが可能となる。
【００４９】
なお、第１の実施形態では、命令解析部１３が印刷データに含まれる制御命令を解析して「バーコードを含む印刷」であるか否かの判定を行うようにしたが、印刷装置１上に「バーコードを含む印刷」であることを指示するスイッチを設け、このスイッチから描画ドット選択信号をビデオ信号出力部１７に与えることも可能である。
【００５０】
次に、本発明の第２の実施形態について、第１の実施形態と相違する点を中心に説明する。なお、第１の実施形態と共通する点については適宜説明を省略する。
【００５１】
図１２は、本発明の第２の実施形態にかかる印刷装置を示すブロック図、図１３は、黒細バー、白細バー、黒細バーと並んだバーコードパターン、バーコードパターンにおけるエッジ部、および当該バーコードパターンの場合の第２の実施形態における各信号の変化を示す図、図１４は、図１３に示されるバーコードパターンに基く第２の実施形態の印刷結果を示す図である。
【００５２】
図１２に示すように、印刷装置１ａは、第１の実施形態における構成要素に加えて、更に、イメージデータからエッジ部（輪郭部）Ｅを検出するエッジ検出回路１９、およびエッジ部のイメージデータであるエッジイメージデータを記憶するエッジメモリ２０を有している。
【００５３】
第２の実施形態では、まず、印刷装置１ａは、例えばＰＣ等の上位装置から印刷データを受信する。受信した印刷データは命令解析部１３に送られる。命令解析部１３は、印刷データに含まれる制御命令を解析し、所定の印刷解像度のビットマップに展開された印刷イメージを、イメージメモリ１４に展開する。
【００５４】
命令解析部１３は、印刷データにおいて「バーコード画像を含む印刷」の指定があることを認識した場合、描画ドット選択信号をＯＮとして、ビデオ信号出力部１７に出力する。
【００５５】
エッジ検出回路１９は、イメージメモリ１４上に展開されたイメージデータを走査し、画像のエッジ部(輪郭部)を検出し、エッジメモリ２０上にエッジイメージデータＤｅを作成する。
【００５６】
メモリアクセス制御部１５は、ＣＰＵ１１からの指令により、ビデオクロック信号Ｖｃに同期して、イメージメモリ１４およびエッジメモリ２０から、それぞれイメージデータＤｐおよびエッジイメージデータＤｅを順次送出するよう制御する。
【００５７】
ビデオ信号出力部１７には、ビデオクロック信号Ｖｃと同期した変調クロック信号Ｖｃｍが入力される。ビデオ信号出力部１７は、命令解析部１３から出力される描画ドット選択信号とエッジイメージデータＤｅとの論理積（ＡＮＤ）演算された信号がＯＮのとき、イメージデータＤｐと変調クロック信号Ｖｃｍとの論理積（ＡＮＤ）を演算することで得られるビデオ信号Ｖｄを印刷部１８に送出する。したがって、１ドットあたりのビデオ信号ＶｄのＯＮ時間は、ビデオクロック信号Ｖｃの周期以下に規制される。
【００５８】
図１４に示すように、第２の実施形態では、命令解析部１３から出力される描画ドット選択信号とエッジイメージデータＤｅとの論理積（ＡＮＤ）演算された信号がＯＮのとき、描画ドット径Ｄ２がドットピッチＰの１．５倍となる第２の描画ドット３２が得られるように、１ドットあたりのビデオ信号Ｖｄのパルス幅が７５％に規制される。
【００５９】
また、第２の実施形態では、１ドットあたりのビデオ信号ＶｄのＯＮ時間がビデオクロック信号Ｖｃの周期と等しいとき、ドットピッチＰの２倍の径Ｄ１となる第１の描画ドット３１が得られるように感光体帯電電位、現像バイアス電圧、露光光量等の画像形成条件が設定されている。
【００６０】
上述したように、第２の実施形態では、描画ドット選択信号がＯＮのとき、例えば、黒バーの外形を構成するドットの像を形成する露光時間が短くなり、描画ドット径が小さくなる。これにより、描画ドット選択信号がＯＦＦの場合に比べ、バーコードの黒バーの幅が小さくなり、白バーの幅は大きくなる。印刷装置の描画ドット径に応じて、変調クロック信号Ｖｃｍのデュティーを適切に調整することにより、規格に定められた許容値を満たすバーコード画像を印刷することができる。
【００６１】
また、描画ドットを小さくすることにより印刷画像の濃度が低下する場合があるが、第２の実施形態では、エッジ部（輪郭部）だけ描画ドットを小さくするため、黒バーの印刷濃度の低下を防ぐ効果も得られる。
【００６２】
このように第２の実施形態では、印刷装置１ａは、バーコード画像を構成する描画ドットのうち、エッジ部Ｅを第２の描画ドット３２に設定し、エッジ部Ｅ以外を第１の描画ドット３１に設定するように制御する。
【００６３】
したがって第２の実施形態によれば、第１の実施形態と同様の効果を得ることができることに加え、黒バーの印刷濃度の低下を防ぐという更なる効果を得ることが可能となる。
【００６４】
次に、本発明の第３の実施形態について、第１の実施形態と相違する点を中心に説明する。なお、第１の実施形態と共通する点については適宜説明を省略する。
【００６５】
図１５は、本発明の第３の実施形態にかかる印刷装置を示すブロック図である。
【００６６】
図１５に示すように、印刷装置１ｂは、第１の実施形態における構成要素に加えて、更に、バーコード生成命令にしたがってバーコードパターンを生成するバーコードパターン生成部２１、およびバーコード領域であることを示す属性フラグを記憶する属性メモリ２２を有している。
【００６７】
第３の実施形態では、まず、印刷装置１ｂは、例えばＰＣ等の上位装置から印刷データを受信する。受信した印刷データは命令解析部１３に送られる。命令解析部１３は、印刷データに含まれる制御命令を解析し、印刷データにバーコード生成命令があった場合、バーコード生成命令をバーコードパターン生成部２１に受け渡す。バーコードパターン生成部２１は、バーコード生成命令に含まれる、バーコード画像の印刷位置、種類、バーコードに含ませるキャラクタに従って、バーコードパターンを生成し、印刷解像度のビットマップに展開されたバーコードパターンをイメージメモリ１４に展開する。
【００６８】
図１６は、バーコード生成命令の一例を示す図である。
【００６９】
図１６では、ＰｏｓｔＳｃｒｉｐｔ（登録商標）形式で拡張されたバーコード生成命令の例が示されている。ここで示す命令コードは、標準のＰｏｓｔＳｃｒｉｐｔには無い独自に拡張した形式である。図１６において、符号「６１」は、バーコード画像の印刷位置を指定する記述であり、符号「６２」は、辞書形式でバーコードを設定する記述（辞書タイプ“１”で定義）であり、符号「６３」は、バーコード領域の幅についての記述であり、符号「６４」は、バーコード領域の高さについての記述であり、符号「６５」は、生成するバーコードの種類についての記述であり、符号「６６」は、バーコードに埋め込むキャラクタについての記述であり、符号「６７」は、バーコード上に書く文字列のフォントについての記述であり、符号「６８」は、バーコード上に書く文字列のサイズについての記述であり、符号「６９」は、設定に従ってバーコードパターン生成を実行するための記述である。
【００７０】
また、バーコードパターン生成部２１は、属性メモリ２２上のバーコード領域に対応する領域に、バーコード領域であることを示す属性フラグを書き込む。
【００７１】
メモリアクセス制御部１５は、ＣＰＵ１１からの指令により、ビデオクロック信号Ｖｃに同期して、イメージメモリ１４および属性メモリ２２から、それぞれイメージデータＤｐおよび属性フラグを順次送出するよう制御する。
【００７２】
ビデオ信号出力部１７には、ビデオクロック信号Ｖｃと同期した変調クロック信号Ｖｃｍが入力され、属性フラグが描画ドット選択信号として入力される。ビデオ信号出力部１７は、属性フラグがＯＮのとき、イメージデータＤｐと変調クロック信号Ｖｃｍとの論理積（ＡＮＤ）を演算することで得られるビデオ信号Ｖｄを印刷部１８に送出する。したがって、１ドットあたりのビデオ信号ＶｄのＯＮ時間は、ビデオクロック信号Ｖｃの周期以下に規制される。
【００７３】
第３の実施形態では、属性フラグがＯＮのとき、描画ドット径Ｄ２がドットピッチＰの１．５倍となる第２の描画ドット３２が得られるように、１ドットあたりのビデオ信号Ｖｄのパルス幅が７５％に規制される。
【００７４】
また、第３の実施形態では、１ドットあたりのビデオ信号ＶｄのＯＮ時間がビデオクロック信号Ｖｃの周期と等しいとき、ドットピッチＰの２倍の径Ｄ１となる第１の描画ドット３１が得られるように感光体帯電電位、現像バイアス電圧、露光光量等の画像形成条件が設定されている。
【００７５】
上述したように、第３の実施形態では、バーコード領域として属性フラグが付与された領域では、例えば、１ドットの像を形成する露光時間が短くなり、描画ドット径が小さくなる。これにより、属性フラグがＯＦＦの場合に比べ、バーコードの黒バーの幅が小さくなり、白バーの幅は大きくなる。印刷装置の描画ドット径に応じて、変調クロック信号Ｖｃｍのデュティーを適切に調整することにより、規格に定められた許容値を満たすバーコード画像を印刷することができる。
【００７６】
また、バーコード領域外では通常の大きい方のドット径で描画されるため、印刷画像に細い実斜線があったとしても良好に印刷再現され得る。
【００７７】
このように第３の実施形態では、印刷装置１ｂは、バーコードパターン生成命令にしたがってバーコードパターンを生成するとともに、バーコード領域であることを示す属性フラグを当該バーコード領域に対して付加し、印刷すべき画像の中で、属性フラグが付加された領域の描画ドットを、バーコード画像を構成する描画ドットであると判断する。
【００７８】
したがって第２の実施形態によれば、第１の実施形態と同様の効果を得ることができることに加え、バーコード領域外では通常の大きい方のドット径で描画されるため、印刷画像に細い実斜線があったとしても良好に印刷再現され得るという更なる効果を得ることが可能となる。
【００７９】
次に、本発明の第４の実施形態について、第３の実施形態と相違する点を中心に説明する。なお、第３の実施形態と共通する点については適宜説明を省略する。
【００８０】
図１７は、本発明の第４の実施形態にかかる印刷装置を示すブロック図である。
【００８１】
図１７に示すように、印刷装置１ｃは、第３の実施形態における構成要素に加えて、更に、イメージデータからエッジ部（輪郭部）Ｅを検出するエッジ検出回路１９、およびエッジ部のイメージデータであるエッジイメージデータを記憶するエッジメモリ２０を有している。
【００８２】
第４の実施形態では、まず、印刷装置１ｃは、例えばＰＣ等の上位装置から印刷データを受信する。受信した印刷データは命令解析部１３に送られる。命令解析部１３は、印刷データに含まれる制御命令を解析し、印刷データにバーコード生成命令があった場合、バーコード生成命令をバーコードパターン生成部２１に受け渡す。バーコードパターン生成部２１は、バーコード生成命令に含まれる、バーコード画像の印刷位置、種類、バーコードに含ませるキャラクタに従って、バーコードパターンを生成し、印刷解像度のビットマップに展開されたバーコードパターンをイメージメモリ１４に展開する。
【００８３】
また、バーコードパターン生成部２１は、属性メモリ２２上のバーコード領域に対応する領域に、バーコード領域であることを示す属性フラグを書き込む。
【００８４】
エッジ検出回路１９は、イメージメモリ１４上に展開されたイメージデータを走査し、画像のエッジ部(輪郭部)を検出し、エッジメモリ２０上にエッジイメージデータＤｅを作成する。
【００８５】
メモリアクセス制御部１５は、ＣＰＵ１１からの指令により、ビデオクロック信号Ｖｃに同期して、イメージメモリ１４、属性メモリ２２、およびエッジメモリ２０から、それぞれイメージデータＤｐ、属性フラグ、およびエッジイメージデータＤｅを順次送出するよう制御する。
【００８６】
ビデオ信号出力部１７には、ビデオクロック信号Ｖｃと同期した変調クロック信号Ｖｃｍが入力される。ビデオ信号出力部１７は、属性フラグとエッジイメージデータＤｅとの論理積（ＡＮＤ）演算された信号がＯＮのとき、イメージデータＤｐと変調クロック信号Ｖｃｍとの論理積（ＡＮＤ）を演算することで得られるビデオ信号Ｖｄを印刷部１８に送出する。したがって、１ドットあたりのビデオ信号ＶｄのＯＮ時間は、ビデオクロック信号Ｖｃの周期以下に規制される。
【００８７】
第４の実施形態では、属性フラグとエッジイメージデータＤｅとの論理積（ＡＮＤ）演算された信号がＯＮのとき、描画ドット径Ｄ２がドットピッチＰの１．５倍となる第２の描画ドット３２が得られるように、１ドットあたりのビデオ信号Ｖｄのパルス幅が７５％に規制される。
【００８８】
また、第４の実施形態では、１ドットあたりのビデオ信号ＶｄのＯＮ時間がビデオクロック信号Ｖｃの周期と等しいとき、ドットピッチＰの２倍の径Ｄ１となる第１の描画ドット３１が得られるように感光体帯電電位、現像バイアス電圧、露光光量等の画像形成条件が設定されている。
【００８９】
上述したように、第４の実施形態では、バーコード領域として属性フラグが付与された領域では、例えば、黒バーの外形を構成するドット像形成する露光時間が短くなり、描画ドット径が小さくなる。これにより、描画ドット選択信号がＯＦＦの場合に比べ、バーコードの黒バーの幅が小さくなり、白バーの幅は大きくなる。印刷装置の描画ドット径に応じて、変調クロック信号のデュティーを適切に調整することにより、規格に定められた許容値を満たすバーコードを印刷することができる。
【００９０】
また、バーコード領域外では通常の大きい方のドット径で描画されるため、印刷画像に細い実斜線があったとしても良好に印刷再現され得る。
【００９１】
また、描画ドットを小さくすることにより印刷画像の濃度が低下する場合があるが、第４の実施例では、エッジ部（輪郭部）だけ描画ドットを小さくするため、黒バーの印刷濃度低下を防ぐ効果も得られる。
【００９２】
したがって第４の実施形態によれば、第３の実施形態と同様の効果を得ることができることに加え、黒バーの印刷濃度の低下を防ぐという更なる効果を得ることが可能となる。
【００９３】
次に、本発明の第５の実施形態について、第１の実施形態と相違する点を中心に説明する。なお、第１の実施形態と共通する点については適宜説明を省略する。
【００９４】
図１８は、本発明の第５の実施形態にかかる印刷装置を示すブロック図である。
【００９５】
図１８に示すように、印刷装置１ｄは、第１の実施形態における構成要素に加えて、更に、バーコードが存在するバーコード領域を認識するパターン認識部２１、およびバーコード領域であることを示す属性フラグを記憶する属性メモリ２２を有している。
【００９６】
第５の実施形態では、まず、印刷装置１ｄは、例えばＰＣ等の上位装置から印刷データを受信する。受信した印刷データは命令解析部１３に送られる。命令解析部１３は、印刷データに含まれる制御命令を解析し、所定の印刷解像度のビットマップに展開された印刷イメージを、イメージメモリ１４に展開する。
【００９７】
パターン認識部２３は、イメージメモリ１４に展開されたイメージデータを走査し、バーコードが存在するバーコード領域を認識する。例えば、パターン認識により、縦横の長さの比率が所定閾値よりも大きい長方形の画像が所定個数以上並んで配置されている領域がバーコード領域と認識される。また、パターン認識部２３は、属性メモリ２２上のバーコード領域に対応する領域に、バーコード領域であることを示す属性フラグを書き込む。
【００９８】
メモリアクセス制御部１５は、ＣＰＵ１１からの指令により、ビデオクロック信号Ｖｃに同期して、イメージメモリ１４および属性メモリ２２から、それぞれイメージデータＤｐおよび属性フラグを順次送出するよう制御する。
【００９９】
ビデオ信号出力部１７には、ビデオクロック信号Ｖｃと同期した変調クロック信号Ｖｃｍが入力され、属性フラグが描画ドット選択信号として入力される。ビデオ信号出力部１７は、属性フラグがＯＮのとき、イメージデータＤｐと変調クロック信号Ｖｃｍとの論理積（ＡＮＤ）を演算することで得られるビデオ信号Ｖｄを印刷部１８に送出する。したがって、１ドットあたりのビデオ信号ＶｄのＯＮ時間は、ビデオクロック信号Ｖｃの周期以下に規制される。
【０１００】
第５の実施形態では、属性フラグがＯＮのとき、描画ドット径Ｄ２がドットピッチＰの１．５倍となる第２の描画ドット３２が得られるように、１ドットあたりのビデオ信号Ｖｄのパルス幅が７５％に規制される。
【０１０１】
また、第５の実施形態では、１ドットあたりのビデオ信号ＶｄのＯＮ時間がビデオクロック信号Ｖｃの周期と等しいとき、ドットピッチＰの２倍の径Ｄ１となる第１の描画ドット３１が得られるように感光体帯電電位、現像バイアス電圧、露光光量等の画像形成条件が設定されている。
【０１０２】
上述したように、第５の実施形態では、バーコード領域として属性フラグが付与された領域では、例えば、１ドットの像を形成する露光時間が短くなり、描画ドット径が小さくなる。これにより、属性フラグがＯＦＦの場合に比べ、バーコードの黒バーの幅が小さくなり、白バーの幅は大きくなる。印刷装置の描画ドット径に応じて、変調クロック信号Ｖｃｍのデュティーを適切に調整することにより、規格に定められた許容値を満たすバーコードを印刷することができる。
【０１０３】
また、バーコード領域外では通常の大きい方のドット径で描画されるため、印刷画像に細い実斜線があったとしても良好に印刷再現され得る。
【０１０４】
このように第５の実施形態では、印刷装置１ｄは、印刷イメージデータを走査してバーコード領域を認識するとともに、バーコード領域であることを示す属性フラグを当該バーコード領域に対して付加し、印刷すべき画像の中で、属性フラグが付加された領域の描画ドットを、バーコード画像を構成する描画ドットであると判断する。
【０１０５】
したがって第５の実施形態によれば、たとえ受信した印刷データにバーコードに関する記述が何ら存在しない場合であっても、第１の実施形態と同様の効果を得ることができることに加え、バーコード領域外では通常の大きい方のドット径で描画されるため、印刷画像に細い実斜線があったとしても良好に印刷再現され得るという更なる効果を得ることが可能となる。
【０１０６】
次に、本発明の第６の実施形態について、第５の実施形態と相違する点を中心に説明する。なお、第５の実施形態と共通する点については適宜説明を省略する。
【０１０７】
図１９は、本発明の第６の実施形態にかかる印刷装置を示すブロック図である。
【０１０８】
図１９に示すように、印刷装置１ｅは、第５の実施形態における構成要素に加えて、更に、イメージデータからエッジ部（輪郭部）Ｅを検出するエッジ検出回路１９、およびエッジ部のイメージデータであるエッジイメージデータを記憶するエッジメモリ２０を有している。
【０１０９】
第６の実施形態では、まず、印刷装置１ｅは、例えばＰＣ等の上位装置から印刷データを受信する。受信した印刷データは命令解析部１３に送られる。命令解析部１３は、印刷データに含まれる制御命令を解析し、所定の印刷解像度のビットマップに展開された印刷イメージを、イメージメモリ１４に展開する。
【０１１０】
パターン認識部２３は、イメージメモリ１４に展開されたイメージデータを走査し、バーコードが存在するバーコード領域を認識する。また、パターン認識部２３は、属性メモリ２２上のバーコード領域に対応する領域に、バーコード領域であることを示す属性フラグを書き込む。
【０１１１】
エッジ検出回路１９は、イメージメモリ１４上に展開されたイメージデータを走査し、画像のエッジ部(輪郭部)を検出し、エッジメモリ２０上にエッジイメージデータＤｅを作成する。
【０１１２】
メモリアクセス制御部１５は、ＣＰＵ１１からの指令により、ビデオクロック信号Ｖｃに同期して、イメージメモリ１４、属性メモリ２２、およびエッジメモリ２０から、それぞれイメージデータＤｐ、属性フラグ、およびエッジイメージデータＤｅを順次送出するよう制御する。
【０１１３】
ビデオ信号出力部１７には、ビデオクロック信号Ｖｃと同期した変調クロック信号Ｖｃｍが入力される。ビデオ信号出力部１７は、属性フラグとエッジイメージデータＤｅとの論理積（ＡＮＤ）演算された信号がＯＮのとき、イメージデータＤｐと変調クロック信号Ｖｃｍとの論理積（ＡＮＤ）を演算することで得られるビデオ信号Ｖｄを印刷部１８に送出する。したがって、１ドットあたりのビデオ信号ＶｄのＯＮ時間は、ビデオクロック信号Ｖｃの周期以下に規制される。
【０１１４】
第６の実施形態では、属性フラグとエッジイメージデータＤｅとの論理積（ＡＮＤ）演算された信号がＯＮのとき、描画ドット径Ｄ２がドットピッチＰの１．５倍となる第２の描画ドット３２が得られるように、１ドットあたりのビデオ信号Ｖｄのパルス幅が７５％に規制される。
【０１１５】
また、第６の実施形態では、１ドットあたりのビデオ信号ＶｄのＯＮ時間がビデオクロック信号Ｖｃの周期と等しいとき、ドットピッチＰの２倍の径Ｄ１となる第１の描画ドット３１が得られるように感光体帯電電位、現像バイアス電圧、露光光量等の画像形成条件が設定されている。
【０１１６】
上述したように、第６の実施形態では、バーコード領域として属性フラグが付与された領域では、例えば、黒バーの外形を構成するドット像形成する露光時間が短くなり、描画ドット径が小さくなる。これにより、描画ドット選択信号がＯＦＦの場合に比べ、バーコードの黒バーの幅が小さくなり、白バーの幅は大きくなる。印刷装置の描画ドット径に応じて、変調クロック信号のデュティーを適切に調整することにより、規格に定められた許容値を満たすバーコードを印刷することができる。
【０１１７】
また、バーコード領域外では通常の大きい方のドット径で描画されるため、印刷画像に細い実斜線があったとしても良好に印刷再現され得る。
【０１１８】
また、描画ドットを小さくすることにより印刷画像の濃度が低下する場合があるが、第４の実施例では、エッジ部（輪郭部）だけ描画ドットを小さくするため、黒バーの印刷濃度低下を防ぐ効果も得られる。
【０１１９】
したがって第６の実施形態によれば、第５の実施形態と同様の効果を得ることができることに加え、黒バーの印刷濃度の低下を防ぐという更なる効果を得ることが可能となる。
【０１２０】
本発明は、上記した実施形態のみに限定されるものではなく、特許請求の範囲内において、種々改変することができる。
【０１２１】
例えば、本発明では、印刷装置としてプリンタが例示されるが、本発明はこれに限定されるものではない。本発明は、例えばＭＦＰ（Ｍｕｌｔｉ−Ｆｕｎｃｔｉｏｎ  Ｐｅｒｉｐｈｅｒａｌ）、複写機等の他の印刷装置にも適用可能である。
【０１２２】
また、上記実施形態では、印刷に使用される描画ドットとして、ドットピッチＰの２倍の径Ｄ１となる第１の描画ドット３１と、当該第１の描画ドット３１より小径の、ドットピッチＰの１．５倍となる第２の描画ドット３２とが用意されているが、これらはいずれも例示であり、径の大きさは適宜変更可能である。
【０１２３】
また、上記実施形態では、電子写真式の印刷装置が例示されているが、本発明はこれに限定されるものではない。本発明は、例えばインクジェット式の印刷装置にも適用可能である。
【図面の簡単な説明】
【０１２４】
【図１】本発明の第１の実施形態にかかる印刷装置を示すブロック図である。
【図２】「バーコード画像を含む印刷」の指定の一例を示す図である。
【図３】ドットピッチの２倍の径を持つ第１の描画ドットを示す図である。
【図４】ドットピッチと同じ径を持つ描画ドットを比較例として示す図である。
【図５】黒細バー、白細バー、黒細バーと並んだバーコードパターン、および当該バーコードパターンの場合の第１の実施形態における各信号の変化を示す図である。
【図６】図５に示されるバーコードパターンに基く第１の実施形態の印刷結果を示す図である。
【図７】図５に示されるバーコードパターンに基く黒細バー幅、白細バー幅、およびバーエッジ間寸法を示す図である。
【図８】第１の実施形態における図６に示される黒細バー幅、白細バー幅、およびバーエッジ間寸法の計算結果を示す図である。
【図９】黒細バー、白細バー、黒細バーと並んだバーコードパターン、および当該バーコードパターンの場合の比較例における各信号の変化を示す図である。
【図１０】図９に示されるバーコードパターンに基く比較例の印刷結果を示す図である。
【図１１】比較例における図１０に示される黒細バー幅、白細バー幅、およびバーエッジ間寸法の計算結果を示す図である。
【図１２】本発明の第２の実施形態にかかる印刷装置を示すブロック図である。
【図１３】黒細バー、白細バー、黒細バーと並んだバーコードパターン、バーコードパターンにおけるエッジ部、および当該バーコードパターンの場合の第２の実施形態における各信号の変化を示す図である。
【図１４】図１３に示されるバーコードパターンに基く第２の実施形態の印刷結果を示す図である。
【図１５】本発明の第３の実施形態にかかる印刷装置を示すブロック図である。
【図１６】バーコード生成命令の一例を示す図である。
【図１７】本発明の第４の実施形態にかかる印刷装置を示すブロック図である。
【図１８】本発明の第５の実施形態にかかる印刷装置を示すブロック図である。
【図１９】本発明の第６の実施形態にかかる印刷装置を示すブロック図である。
【符号の説明】
【０１２５】
１、１ａ、１ｂ、１ｃ、１ｄ、１ｅ  印刷装置、
１２  データ受信部、
１３  命令解析部、
１４  イメージメモリ、
１５  メモリアクセス制御部、
１６  クロック生成部、
１７  ビデオ信号出力部、
１８  印刷部、
１９  エッジ検出回路、
２０  エッジメモリ、
２１  バーコードパターン生成部、
２１  パターン認識部、
２２  属性メモリ、
２３  パターン認識部、
３０  描画ドット、
３１  第１の描画ドット、
３２  第２の描画ドット、
Ｄ１  第１の描画ドットの径、
Ｄ２  第２の描画ドットの径、
Ｅ  エッジ部。
【図１】
2009066831.tif 000003
【図２】
2009066831.tif 000004
【図３】
2009066831.tif 000005
【図４】
2009066831.tif 000006
【図５】
2009066831.tif 000007
【図６】
2009066831.tif 000008
【図７】
2009066831.tif 000009
【図８】
2009066831.tif 000010
【図９】
2009066831.tif 000011
【図１０】
2009066831.tif 000012
【図１１】
2009066831.tif 000013
【図１２】
2009066831.tif 000014
【図１３】
2009066831.tif 000015
【図１４】
2009066831.tif 000016
【図１５】
2009066831.tif 000017
【図１６】
2009066831.tif 000018
【図１７】
2009066831.tif 000019
【図１８】
2009066831.tif 000020
【図１９】
2009066831.tif 000021